(57)【要約】【課題】ピストン２を有するピストンポンプをケーシング１の一端に設け、ピストン２をケーシング１に収容したスライダ４に連結し、駆動モータ６によってスライダ４およびピストン２を往復移動させ、洗浄液を噴射し、その洩れ液をドレン口１２から排出する形式の洗浄液スプレーガンにおいて、洩れ液を効果的に排出する。【解決手段】洩れ液吸入室１８がケーシング１の他端に形成され、連通手段１９によってドレン口１２と吸入室１８が連通し、スライダ４の移動にともない、洩れ液が吸入室１８内に吸入される。【選択図】図１
2004202447.tif 000002
【特許請求の範囲】
【請求項１】
ピストンを有するピストンポンプをケーシングの一端に設け、前記ピストンを前記ケーシングに収容したスライダに連結し、駆動モータによって前記スライダおよびピストンを往復移動させ、洗浄液を噴射し、その洩れ液をドレン口から排出するようにした洗浄液スプレーガンにおいて、
前記ケーシングの他端に形成された洩れ液吸入室と、
前記ドレン口と前記吸入室を連通させる連通手段とを備え、
前記スライダの移動にともない、前記洩れ液が前記吸入室内に吸入されるようにしたことを特徴とする洗浄液スプレーガン。
【請求項２】
前記連通手段はドレンホースからなり、前記ドレンホースによって前記ドレン口と吸入室が接続され、連通していることを特徴とする請求項１に記載の洗浄液スプレーガン。
【請求項３】
前記ドレン口が前記ケーシングの適所に設けられていることを特徴とする請求項１に記載の洗浄液スプレーガン。
【請求項４】
前記ドレン口が前記ピストンポンプのシリンダに設けられていることを特徴とする請求項１または２に記載の洗浄液スプレーガン。
【請求項５】
前記吸入室に排出口を開口させ、前記排出口に逆止め弁を設け、前記スライダの移動にともない、前記洩れ液が前記逆止め弁を通り、前記排出口に押し出され、排出されるようにしたことを特徴とする請求項１または２に記載の洗浄液スプレーガン。
【請求項６】
排出ホースによって前記排出口と洗浄液供給タンクを接続し、前記供給タンクの洗浄液が前記ピストンポンプのシリンダに供給され、前記洩れ液が前記排出ホースを通り、前記供給タンクに回収されるようにしたことを特徴とする請求項５に記載の洗浄液スプレーガン。
【発明の詳細な説明】
【０００１】
【産業上の利用分野】
この発明は、洗浄液を噴射し、繊維製品を洗浄する洗浄液スプレーガンに関するものである。
【０００２】
【従来技術とその問題点】
繊維製品を洗浄するとき、洗浄液スプレーガンが一般に使用されている。たとえば、実用新案登録第２５８６４０６号公報（特許文献１）に記載されているスプレーガンがそれである。同公報のスプレーガンでは、ピストンを有するピストンポンプがケーシングの一端に設けられ、ピストンはケーシングに収容されたスライダに連結される。さらに、カム機構のカムリングによって駆動モータとスライダが連結される。スライダはカム機構のカムフォロワからなる。したがって、駆動モータによってスライダおよびピストンが往復移動し、洗浄液が噴射され、洗浄液によって繊維製品が洗浄される。さらに、ドレン口がケーシングの適所に設けられ、洗浄液がピストンポンプから洩れたとき、その洩れ液がドレン口から排出される。
【０００３】
さらに、同公報のスプレーガンでは、スライダによってポンプ作用が生じ、洩れ液がドレン口に押し出され、排出される。しかしながら、実際のところ、その作用は必ずしも十分ではなく、洩れ液が効果的に排出されるとは限らない。このため、洩れ液がスライダとケーシング間を通り、駆動モータに達し、洩れ液によって駆動モータが損傷するおそれもあり、その改良が強く要望されている。
【０００４】
【特許文献１】
実用新案登録第２５８６４０６号公報
【０００５】
【発明の目的】
したがって、この発明は、ピストンを有するピストンポンプをケーシングの一端に設け、ピストンをケーシングに収容したスライダに連結し、駆動モータによってスライダおよびピストンを往復移動させ、洗浄液を噴射し、その洩れ液をドレン口から排出する形式の洗浄液スプレーガンにおいて、洩れ液を効果的に排出することを目的としてなされたものである。
【０００６】
【発明の構成】
この発明によれば、洩れ液吸入室がケーシングの他端に形成され、連通手段によってドレン口と吸引室が連通し、スライダの移動にともない、洩れ液が吸入室内に吸入される。
【０００７】
好ましい実施例では、連通手段にドレンホースが使用され、ドレンホースによってドレン口と吸入室が接続され、連通する。
【０００８】
ドレン口はケーシングの適所に形成される。
【０００９】
ドレン口をピストンポンプのシリンダに形成してもよい。
【００１０】
さらに、好ましい実施例では、吸入室に排出口が開口し、排出口に逆止め弁が設けられ、スライダの移動にともない、洩れ液が逆止め弁を通り、排出口から押し出され、排出される。
【００１１】
さらに、排出ホースによって排出口と洗浄液供給タンクが接続され、供給タンクの洗浄液がピストンポンプのシリンダに供給され、洩れ液が排出ホースを通り、供給タンクに回収される。
【００１２】
【実施例の説明】
以下、この発明の実施例を説明する。
【００１３】
図１はこの発明にかかるスプレーガンを示す。このスプレーガンは洗浄液を噴射し、繊維製品を洗浄するためのもので、ピストンポンプがケーシング１の一端に設けられており、ピストンポンプはピストン２およびシリンダ３を有し、ピストン２はケーシング１に収容されたスライダ４に連結されている。さらに、実用新案登録第２５８６４０６号公報のものと同様、カム機構のカムリング５によって駆動モータ６とスライダ４が連結されており、スライダ４はカム機構のカムフォロワからなる。したがって、駆動モータ６によってスライダ４およびピストン２が往復移動する。この実施例では、シリンダ３がケーシング１の一端にはめ込まれ、ピストン２がそのシリンダ３に挿入されており、ピストン２はシリンダ３内を往復移動する。さらに、洗浄液供給口７がケーシング１の一端に設けられ、シリンダ３内に連通し、供給ホース８によって供給口７と洗浄液供給タンク９が接続されており、噴射ノズル１０が逆止め弁１１およびシリンダ３に接続されている。したがって、ピストン２の往復移動にともない、供給タンク９の洗浄液がピストンポンプのシリンダ３に供給され、逆止め弁１１を通り、噴射ノズル１０から噴射され、洗浄液によって繊維製品が洗浄される。
【００１４】
さらに、このスプレーガンでは、洗浄液がピストンポンプから洩れたとき、その洩れ液がドレン口１２から排出される。この実施例では、シリンダ３の下側において、ドレン口１２がケーシング１の適所に設けられている。さらに、環状みぞ１３がシリンダ３の内周面に形成され、環状みぞ１４がシリンダ３の外周面に形成され、半径方向流路１５によって各環状みぞ１３，１４が接続されており、ドレン口１２は外周面の環状みぞ１４に連通する。さらに、シリンダ３の上側において、空気孔１６がケーシング１の適所に設けられており、外周面の環状みぞ１４に連通する。したがって、洩れ液が環状みぞ１３、半径方向流路１５および環状みぞ１４を通り、ドレン口１２から排出される。さらに、シリンダ３の下側において、ケーシング１に軸方向流路１７が形成されており、ドレン口１２がその軸方向流路１７に連通し、ケーシング１内において、軸方向みぞ１７はシリンダ３とスライダ４間に開口する。したがって、洗浄液がシリンダ３とスライダ４間に洩れても、問題はない。実用新案登録第２５８６４０６号公報のものと同様、スライダ４によってポンプ作用が生じ、洩れ液は軸方向流路１７を通り、ドレン口１２に押し出される。
【００１５】
さらに、ピストンポンプがケーシング１の一端に設けられていることは前述したとおりであるが、このスプレーガンでは、洩れ液吸入室１８がケーシング１の他端に形成されている。さらに、連通手段によってドレン口１２と吸入室１８が連通する。したがって、スライダ４の移動にともない、洩れ液が吸入室内１８に吸入される。この実施例では、連通手段にドレンホース１９が使用され、吸入室１８の下側において、吸入口２０がケーシング１の適所に設けられ、ドレンホース１９によってドレン口１２と吸入口２０が接続されている。したがって、ピストンポンプの吐出行程のとき、スライダ４が図１の左方向に移動し、これによって吸入室１８が拡大され、その圧力が減少し、吸入作用が生じる。そして、スライダ４が図１の位置まで移動したとき、吸入口２０が吸入室１８内に開口し、ドレンホース１９によってドレン口１２と吸入室１８が接続され、連通する。したがって、スライダ４の移動にともない、洩れ液が吸入室１８内に吸入されるものである。
【００１６】
さらに、吸入室１８に排出口２１が開口し、排出口２１に逆止め弁２２が設けられている。この実施例では、エンドキャップ２３によって吸入室１８が遮断されており、エンドキャップ２３に排出口２１が設けられ、逆止め弁２２が設けられている。さらに、排出ホース２４によって排出口２１と洗浄液供給タンク９が接続されている。したがって、ピストンポンプの吸入行程のとき、スライダ４が図１の右方向に移動し、まず、スライダ４によって吸入口２０が閉じられる。さらに、スライダ４によって吸入室１８が縮小され、その圧力が増大する。したがって、スライダ４の移動にともない、洩れ液が逆止め弁２２を通り、排出口２１に押し出され、排出される。さらに、それが排出ホース２４を通り、供給タンク９に回収される。
【００１７】
さらに、この実施例では、スライダ４に突起２５が設けられており、何らかの理由で逆止め弁２２が開かないとき、突起２５によって逆止め弁２２が開かれ、洩れ液が排出される。
【００１８】
したがって、このスプレーガンの場合、洩れ液がドレン口１２から排出されるとき、それを吸入室１８内に吸入し、効果的に排出することができる。それにともない、洩れ液がスライダ４とケーシング１間を通り、駆動モータ６に達し、洩れ液によって駆動モータ６が損傷するおそれもない。さらに、供給タンク９に回収された洩れ液については、それがピストンポンプのシリンダ３に供給され、再使用される。これによって洗浄液を節減し、資源および環境問題に貢献することもできる。
【００１９】
なお、この実施例では、ピストンポンプのシリンダ３をケーシング１の一端にはめ込み、ドレン口１２をケーシング１の適所に設けたものを説明したが、必ずしもその必要はない。シリンダ３をケーシング１の一端にはめ込まず、露出させることも考えられる。この場合、ドレン口１２をケーシング１の一端ではなく、ピストンポンプのシリンダに設けてもよい。
【００２０】
【発明の効果】
以上説明したように、この発明によれば、洩れ液がドレン口１２から排出されるとき、それを吸入室１８内に吸入し、効果的に排出することができ、所期の目的を達成することができるものである。
【図面の簡単な説明】
【図１】この発明の実施例を示す断面図である。
【符号の説明】
１  ケーシング
２  ピストン
３  シリンダ
４  スライダ
６  駆動モータ
９  洗浄液供給タンク
１２  ドレン口
１８  吸入室
１９  ドレンホース
２１  排出口
２２  逆止め弁
２４  排出ホース
【図１】
2004202447.tif 000003